(57)【要約】【課題】入札を開催する主体の入札に必要な情報の登録の利便性を高める技術を提供する。【解決手段】  入札情報管理装置であって、応札者を評価する観点と前記評価の結果とを対応付ける応札者評価情報を格納する応札者評価記憶部と、前記応札者評価情報に対する変更情報を受け付けて前記応札者評価情報を編集する応札者評価編集部と、前記応札者評価情報を所定の形式で出力する応札者評価出力部と、を備えることを特徴とする。【選択図】図１
2015036909.tif 000002
【特許請求の範囲】
【請求項１】
応札者を評価する観点と前記評価の結果とを対応付ける応札者評価情報を格納する応札者評価記憶部と、
前記応札者評価情報に対する変更情報を受け付けて前記応札者評価情報を編集する応札者評価編集部と、
前記応札者評価情報を所定の形式で出力する応札者評価出力部と、
を備えることを特徴とする入札情報管理装置。
【請求項２】
請求項１に記載の入札情報管理装置であって、
前記応札者評価編集部は、前記応札者評価情報を編集すると、編集後の前記応札者評価情報に対して所定の検査を行い、検査に合格すると前記応札者評価記憶部へ前記編集後の前記応札者評価情報を格納する、
ことを特徴とする入札情報管理装置。
【請求項３】
請求項１又は２に記載の入札情報管理装置であって、
前記応札者を評価する観点は、前記応札者の実績に関する観点を含み、
前記応札者評価編集部は、前記応札者の実績に応じた前記変更情報を受け付ける、
ことを特徴とする入札情報管理装置。
【請求項４】
請求項１〜３のいずれか一項に記載の入札情報管理装置から出力された前記応札者評価情報の一部または全部を用いて入札の処理を実施する応札処理部、
を備えることを特徴とする入札装置。
【請求項５】
請求項４に記載の入札装置であって、
前記入札情報管理装置から出力された前記応札者評価情報を受信すると、所定の記憶部に格納する応札者評価登録処理部を備え、
前記応札処理部は、
少なくとも前記記憶部に格納された応札者評価情報の評価の結果と、入札額と、を用いて入札の処理を実施する、
ことを特徴とする入札装置。
【請求項６】
請求項５に記載の入札装置であって、
前記応札処理部は、前記応札者評価情報の応札者を評価する観点に応じて、前記評価の結果を特定する値を算出し、入札の処理を実施する、
ことを特徴とする入札装置。
【請求項７】
請求項４〜６のいずれか一項に記載の入札装置であって、
前記応札処理部は、入札案件ごとに予め定められた標準点に、前記評価の結果を特定する値と、前記応札者の実績に基づく品質の安定性を示す品質確実点と、を加えた値と、入札価格に反比例する値と、の積に比例する評価値を前記応札者ごとに算出して応札者間で最も大きい当該値が算出された応札者に落札させる、
ことを特徴とする入札装置。
【請求項８】
コンピューターに、入札情報の管理手順を実行させるプログラムであって、
前記コンピューターを、応札者を評価する観点と前記評価の結果とを対応付ける応札者評価情報を記憶する応札者評価記憶手段と、制御手段として機能させ、
前記制御手段に対して、
前記応札者評価情報に対する変更情報を受け付けて前記応札者評価情報を編集する応札者評価編集手順と、
前記応札者評価情報を所定の形式で出力する応札者評価出力手順と、
を実行させることを特徴とするプログラム。
【請求項９】
コンピューターを用いた入札情報の管理方法であって、
前記コンピューターは、
応札者を評価する観点と前記評価の結果とを対応付ける応札者評価情報を記憶する応札者評価記憶部を備え、
前記応札者評価情報に対する変更情報を受け付けて前記応札者評価情報を編集する応札者評価編集ステップと、
前記応札者評価情報を所定の形式で出力する応札者評価出力ステップと、
を実施することを特徴とする方法。
【発明の詳細な説明】
【技術分野】
【０００１】
本発明は、入札情報を管理する技術に関するものである。
【背景技術】
【０００２】
従来、各施工業者の住所、メールアドレス、営業可能エリア、リフォーム受注実績件数、可能工事単位、及び長所項目の各業者情報を記憶する業者情報記憶手段と、施主側コンピューターから送信される住所及び希望施工内容を含む案件情報の記憶手段と、該案件情報及び業者情報に基づき、該業者情報記憶手段から条件を満たす業者を選択する業者選択手段と、施主側コンピューターから送信されるＩＤを記憶するＩＤ記憶手段と、該業者選択手段で選択された業者のコンピューターに案件情報を送信する送信手段と、業者からの応札情報を記憶する応札情報記憶手段と、アクセスしてきたコンピューターから入力されるＩＤが合致する場合に該応札情報記憶手段の応札情報を当該コンピューターに開示する応札情報開示手段とを備える住宅リフォーム業者紹介システムに関する技術が存在する。特許文献１には、このような技術について記載されている。
【先行技術文献】
【特許文献】
【０００３】
【特許文献１】特開２００６−１１９５７号公報
【発明の概要】
【発明が解決しようとする課題】
【０００４】
上記技術は、入札案件の発生に応じて条件を満たす登録済業者に応札を促す入札システムであるといえる。しかし、上記技術では、入札を開催する主体が入札案件ごとに異なる蓋然性が高い場合に、応札する業者を評価する観点が入札を開催する主体ごとに異なる場合の利便性についての特段の考慮はない。
【０００５】
本発明の目的は、入札を開催する主体の入札に必要な情報の登録の利便性を高める技術を提供することにある。
【課題を解決するための手段】
【０００６】
本願は、上記課題の少なくとも一部を解決する手段を複数含んでいるが、その例を挙げるならば、以下のとおりである。上記課題を解決すべく、本発明に係る入札情報管理装置は、応札者を評価する観点と上記評価の結果とを対応付ける応札者評価情報を格納する応札者評価記憶部と、上記応札者評価情報に対する変更情報を受け付けて上記応札者評価情報を編集する応札者評価編集部と、上記応札者評価情報を所定の形式で出力する応札者評価出力部と、を備えることを特徴とする。
【０００７】
また、上記の入札情報管理装置においては、上記応札者評価編集部は、上記応札者評価情報を編集すると、編集後の上記応札者評価情報に対して所定の検査を行い、検査に合格すると上記応札者評価記憶部へ上記編集後の上記応札者評価情報を格納する、ことを特徴とするものであってもよい。
【０００８】
また、上記の入札情報管理装置においては、上記応札者を評価する観点は、上記応札者の実績に関する観点を含み、上記応札者評価編集部は、上記応札者の実績に応じた前記変更情報を受け付ける、ことを特徴とするものであってもよい。
【０００９】
また、本発明に係る入札装置は、上記の入札情報管理装置から出力された上記応札者評価情報の一部または全部を用いて入札の処理を実施する応札処理部、
を備えることを特徴とする。
【００１０】
また、上記の入札装置であって、上記入札情報管理装置から出力された上記応札者評価情報を受信すると、所定の記憶部に格納する応札者評価登録処理部を備え、上記応札処理部は、少なくとも上記記憶部に格納された応札者評価情報の評価の結果と、入札額と、を用いて入札の処理を実施する、ことを特徴とするものであってもよい。
【００１１】
また、上記の入札装置であって、上記応札処理部は、上記応札者評価情報の応札者を評価する観点に応じて、上記評価の結果を特定する値を算出し、入札の処理を実施する、ことを特徴とするものであってもよい。
【００１２】
また、上記の入札装置であって、上記応札処理部は、入札案件ごとに予め定められた標準点に、上記評価の結果を特定する値と、上記応札者の実績に基づく品質の安定性を示す品質確実点と、を加えた値と、入札価格に反比例する値と、の積に比例する値を上記応札者ごとに算出して応札者間で最も大きい当該値が算出された応札者に落札させる、ことを特徴とするものであってもよい。
【００１３】
また、本発明に係るプログラムは、コンピューターに、入札情報の管理手順を実行させるプログラムであって、上記コンピューターを、応札者を評価する観点と上記評価の結果とを対応付ける応札者評価情報を格納する応札者評価記憶手段と、制御手段として機能させ、上記制御手段に対して、上記応札者評価情報に対する変更情報を受け付けて上記応札者評価情報を編集する応札者評価編集手順と、上記応札者評価情報を所定の形式で出力する応札者評価出力手順と、を実行させることを特徴とする。
【００１４】
また、本発明に係る方法は、コンピューターを用いた入札情報の管理方法であって、上記コンピューターは、応札者を評価する観点と前記評価の結果とを対応付ける応札者評価情報を格納する応札者評価記憶部を備え、上記応札者評価情報に対する変更情報を受け付けて上記応札者評価情報を編集する応札者評価編集ステップと、上記応札者評価情報を所定の形式で出力する応札者評価出力ステップと、を実施することを特徴とする。
【００１５】
上記した以外の課題、構成および効果は、以下の実施形態の説明により明らかにされる。
【発明の効果】
【００１６】
本発明によると、入札を開催する主体の入札に必要な情報の登録の利便性を高める技術を提供することができる。
【図面の簡単な説明】
【００１７】
【図１】入札運用システムの構成例を示す図である。
【図２】応札者評価記憶部に格納されるデータ構造を示す図である。
【図３】入開札情報記憶部に格納されるデータ構造を示す図である。
【図４】応札者候補記憶部に格納されるデータ構造を示す図である。
【図５】入札情報管理装置のハードウェア構成を示す図である。
【図６】応札者評価編集処理のフローを示す図である。
【図７】入開札装置において出力生成される画面の一例を示す図である。
【図８】応札者評価登録処理のフローを示す図である。
【図９】入開札装置において出力生成される画面の一例を示す図である。
【発明を実施するための形態】
【００１８】
以下に、本発明に係る第一の実施形態を適用した入札運用システム１を用いた実施形態について、図面を参照して説明する。
【００１９】
図１は、本発明の第一の実施形態における入札運用システム１の実施例を示す図である。本実施形態において想定する入札運用システム１においては、入開札装置１００と、入開札装置１００とネットワーク１０を介して通信可能に接続され、入開札装置１００において実施される入札処理に必要な入力情報の一部を管理する入札情報管理装置２００と、が含まれる。
【００２０】
当該システムにおいては、入札運用者が入札情報管理装置２００において応札者評価を編集し、出力するよう指示することで、入開札装置１００が実施する入札処理に用いる業者の評価の情報を出力する。
【００２１】
また、当該システムにおいては、入開札装置１００は、制御部１１０と、記憶部１２０と、通信部１３０とを含む。同様に、入札情報管理装置２００は、制御部２１０と、記憶部２２０と、通信部２３０と、を含む。
【００２２】
入開札装置１００は、サーバー等の情報処理装置である。ほかにも例えば、入開札装置１００は、パソコンやＰＤＡ（Ｐｅｒｓｏｎａｌ  Ｄａｔａ  Ａｓｓｉｓｔａｎｔ）、タブレット装置等各種の情報処理装置であってもよい。
【００２３】
ネットワーク１０は、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、インターネット等の通信網である。なお、携帯電話通信網やインターネット等の公衆網上のＶＰＮ（Ｖｉｒｔｕａｌ  Ｐｒｉｖａｔｅ  Ｎｅｔｗｏｒｋ）等であってもよい。
【００２４】
入札情報管理装置２００は、パソコン等の情報処理装置である。ほかにも例えば、入札情報管理装置２００は、サーバー装置やＰＤＡ（Ｐｅｒｓｏｎａｌ  Ｄａｔａ  Ａｓｓｉｓｔａｎｔ）、タブレット装置等各種の情報処理装置であってもよい。
【００２５】
入開札装置１００の記憶部１２０には、応札者評価記憶部１２１と、入開札情報記憶部１２２と、が格納される。
【００２６】
図２は、入開札装置１００の記憶部１２０に含まれる応札者評価記憶部１２１のデータ構造の例を示す図である。応札者評価記憶部１２１には、応札者識別子１２１Ａと、応札者名称１２１Ｂと、施工実績１２１Ｃと、工事成績評定１２１Ｄと、地域貢献度１２１Ｅと、品質確実点１２１Ｆと、加算点１２１Ｇと、が対応付けて格納される。
【００２７】
応札者識別子１２１Ａは、応札する事業者を特定する情報である。応札者名称１２１Ｂは、応札する事業者の名称を特定する情報である。施工実績１２１Ｃは、応札者識別子１２１Ａにより特定される事業者の施工実績を特定する情報である。工事成績評定１２１Ｄは、応札者識別子１２１Ａにて特定される事業者の施工結果に基づく成績である工事成績の情報を特定する情報である。
【００２８】
地域貢献度１２１Ｅは、応札者識別子１２１Ａにより特定される事業者の地域への貢献度合いを所定の基準で数値化した値を特定する情報である。品質確実点１２１Ｆは、応札者の実績に基づく品質の安定性を示す値を特定する情報である。加算点１２１Ｇは、施工実績１２１Ｃと、工事成績評定１２１Ｄと、地域貢献度１２１Ｅと、品質確実点１２１Ｆと、を含む情報を所定の基準で重み付けして加算した合計点を特定する情報である。
【００２９】
図３は、入開札装置１００の記憶部１２０に含まれる入開札情報記憶部１２２のデータ構造の例を示す図である。入開札情報記憶部１２２には、入札識別子１２２Ａに、標準点１２２Ｂと、係数１２２Ｃと、が対応付けられ、さらに、応札者ごとに応札者識別子１２２Ｄと、入札価格１２２Ｅと、品質確実点１２２Ｆと、加算点１２２Ｇと、評価値１２２Ｈと、が対応付けて格納される。
【００３０】
入札識別子１２２Ａは、入札案件を特定する情報である。標準点１２２Ｂおよび係数１２２Ｃは、入札案件ごとに予め定められた値である。応札者識別子１２２Ｄは、応札する事業者を特定する情報である。入札価格１２２Ｅは、応札者から応札のあった入札価格を特定する情報である。品質確実点１２２Ｆは、応札者の実績に基づく品質の安定性を示す値を特定する情報である。加算点１２２Ｇは、応札者評価記憶部１２１の応札者の加算点１２１Ｇである。評価値１２２Ｈは、所定の評価式で算出した応札者の落札の適性を示す値である。例えば、評価値１２２Ｈは、応札において、入札案件ごとに予め定められた標準点に、前記評価の結果を特定する値と、応札者の実績に基づく品質の安定性を示す品質確実点と、を加えた値と、入札価格に反比例する値と、の積に比例する値として算出される。
【００３１】
図１の説明に戻る。制御部１１０には、応札者評価登録処理部１１１と、入開札処理部１１２と、が含まれる。応札者評価登録処理部１１１は、入札情報管理装置２００から送信された応札者評価の出力情報を受け付け、応札者評価記憶部１２１および入開札情報記憶部１２２に当該出力情報の対応する情報を格納する。
【００３２】
入開札処理部１１２は、応札者による応札を受け付けて、入開札情報記憶部１２２に入札価格等の情報を格納する。また、入開札処理部１１２は、入札案件ごとに予め定められた標準点に、前記評価の結果を特定する値と、応札者の実績に基づく品質の安定性を示す品質確実点と、を加えた値と、入札価格に反比例する値と、の積に比例する値として評価値を算出し、評価値１２２Ｈに格納する。また、入開札処理部１１２は、評価値が高い応札者を落札者として特定する。
【００３３】
通信部１３０は、ネットワーク１０を介して他の装置、例えば入札情報管理装置２００および応札者が入札に用いる図示しない端末との通信を行う。
【００３４】
入札情報管理装置２００には、制御部２１０と、記憶部２２０と、通信部２３０と、が含まれる。制御部２１０には、応札者評価編集部２１１と、応札者評価出力部２１２と、が含まれる。記憶部２２０には、応札者候補記憶部２２１と、応札者評価記憶部２２２と、が含まれる。
【００３５】
図４は、入札情報管理装置２００の記憶部２２０に含まれる応札者候補記憶部２２１のデータ構造の例を示す図である。応札者候補記憶部２２１は、応札者候補識別子２２１Ａごとに応札者候補名称２２１Ｂが一対一で対応付けられて格納される。応札者候補識別子２２１Ａは、応札者候補を識別する情報である。応札者候補名称２２１Ｂは、応札者の候補となるべく登録された事業者等の名称である。
【００３６】
入札情報管理装置２００の記憶部２２０に含まれる応札者評価記憶部２２２は、図２に示した入開札装置１００の応札者評価記憶部１２１と略同様の情報である。
【００３７】
入札情報管理装置２００の応札者評価編集部２１１は、応札者を評価する観点とその評価の結果とを対応付ける応札者評価情報に対する変更情報を受け付けて、応札者評価情報に追加、変更等の更新を含む編集を行う。また、応札者評価編集部２１１は、応札者評価情報を編集すると、編集後の応札者評価情報に対して所定の検査を行い、検査に合格すると応札者評価記憶部２２２へ編集後の応札者評価情報を格納する。なお、応札者評価編集部２１１は、応札者評価情報の編集においては、応札者の実績に応じた変更情報を受け付けて編集する。
【００３８】
入札情報管理装置２００の応札者評価出力部２１２は、応札者評価記憶部２２２に格納された応札者評価情報を、所定の形式で出力する。具体的には、応札者評価出力部２１２は、ＣＳＶ（Ｃｏｍｍａ−Ｓｅｐａｒａｔｅｄ  Ｖａｌｕｅｓ）形式等のファイル形式で応札者評価情報を出力する。なお、応札者評価出力部２１２は、ＣＳＶ形式に限らず、所定の形式でファイルを生成するものであってもよい。
【００３９】
通信部２３０は、ネットワーク１０を介して他の装置、例えば入開札装置１００との通信を行う。
【００４０】
図５は、入札情報管理装置２００のハードウェア構成例を示す図である。入札情報管理装置２００は、演算装置２０２と、外部記憶装置２０３と、主記憶装置２０４と、出力装置２０５と、通信装置２０６と、各装置をつなぐバス２０７と、を少なくとも備える。また、他に、入札情報管理装置２００は、キーボード、マウス、あるいはタッチパネルといった入力装置２０１を備えるものであってもよい。
【００４１】
演算装置２０２は、例えばＣＰＵ（Ｃｅｎｔｒａｌ  Ｐｒｏｃｅｓｓｉｎｇ  Ｕｎｉｔ）などの演算装置である。
【００４２】
外部記憶装置２０３は、デジタル情報を記憶可能な、いわゆるハードディスク（Ｈａｒｄ  Ｄｉｓｋ  Ｄｒｉｖｅ）やＳＳＤ（Ｓｏｌｉｄ  Ｓｔａｔｅ  Ｄｒｉｖｅ）あるいはフラッシュメモリなどの不揮発性記憶装置である。
【００４３】
主記憶装置２０４は、例えばＲＡＭ（Ｒａｎｄｏｍ  Ａｃｃｅｓｓ  Ｍｅｍｏｒｙ）などのメモリ装置である。
【００４４】
出力装置２０５は、例えば液晶ディスプレイや、有機ＥＬ（Ｅｌｅｃｔｒｏ  Ｌｕｍｉｎｅｓｃｅｎｃｅ）ディスプレイ等の表示装置である。
【００４５】
通信装置２０６は、ネットワーク１０等を介して入開札装置１００等の他の装置と通信経路を確立し、情報を送受信するネットワークカード等の装置である。
【００４６】
入力装置２０１は、キーボードやマウス、タッチパネル等の各種入力装置である。
【００４７】
入力装置２０１と、演算装置２０２と、外部記憶装置２０３と、主記憶装置２０４と、出力装置２０５と、通信装置２０６とは、バス２０７等の接続導線により互いに接続される。
【００４８】
上記した入札情報管理装置２００の応札者評価編集部２１１、応札者評価出力部２１２は、演算装置２０２に処理を行わせるプログラムによって実現される。このプログラムは、主記憶装置２０４、外部記憶装置２０３または図示しないＲＯＭ装置内に記憶され、実行にあたって主記憶装置２０４上にロードされ、演算装置２０２により実行される。
【００４９】
また、入札情報管理装置２００の記憶部２２０は、主記憶装置２０４及び外部記憶装置２０３により実現される。また、入札情報管理装置２００の通信部２３０は、通信装置２０６により実現される。以上が、入札情報管理装置２００のハードウェア構成例である。
【００５０】
入開札装置１００についても、図５と略同様のハードウェア構成を備えるため、説明を省略する。
【００５１】
なお、入開札装置１００についての応札者評価登録処理部１１１、入開札処理部１１２は、入開札装置１００の演算装置２０２に処理を行わせるプログラムによって実現される。このプログラムは、主記憶装置２０４、外部記憶装置２０３または図示しないＲＯＭ装置内に記憶され、実行にあたって主記憶装置２０４上にロードされ、演算装置２０２により実行される。
【００５２】
なお、上記した各構成要素は、入開札装置１００、入札情報管理装置２００の構成を、理解を容易にするために、主な処理内容に応じて分類したものである。そのため、構成要素の分類の仕方やその名称によって、本願発明が制限されることはない。入開札装置１００、入札情報管理装置２００の構成は、処理内容に応じて、さらに多くの構成要素に分類することもできる。また、１つの構成要素がさらに多くの処理を実行するように分類することもできる。
【００５３】
また、各制御部は、ハードウェア（ＡＳＩＣ、ＧＰＵなど）により構築されてもよい。また、各制御部の処理が一つのハードウェアで実行されてもよいし、複数のハードウェアで実行されてもよい。
【００５４】
[動作の説明] 次に、本実施形態における入開札装置１００、入札情報管理装置２００と、の動作を説明する。図６は、本実施形態における入札情報管理装置２００が実施する応札者評価編集処理のフロー図である。
【００５５】
応札者評価編集処理は、入札情報管理装置２００が稼動を開始され、応札者評価の編集指示を受け付けると、開始される。
【００５６】
まず、応札者評価編集部２１１は、応札者情報の取り込みを行う（ステップＳ００１）。具体的には、応札者評価編集部２１１は、応札者情報の取り込み指示を受けたか否かを判定し、受けた場合には、応札者候補記憶部２２１から応札者の情報を読み出すことでメモリへの取り込みを行う。
【００５７】
そして、応札者評価編集部２１１は、評価情報の編集を行う（ステップＳ００２）。具体的には、応札者評価編集部２１１は、ステップＳ００１にて取り込まれた応札者候補ごとに評価情報の編集内容を受け付け、評価の観点毎の評価内容に応じた情報の追加、変更等の編集内容に応じ情報を変更する。
【００５８】
そして、応札者評価編集部２１１は、評価結果をチェックする（ステップＳ００３）。具体的には、応札者評価編集部２１１は、ステップＳ００２において編集された評価内容について、所定のチェック内容に従った検査を行う。例えば、応札者評価編集部２１１は、データ形式のチェック、値の範囲のチェック、データ間の整合チェック等の関連チェック、編集時の入力ミス等のチェック等の各種のチェック処理を行う。
【００５９】
そして、応札者評価編集部２１１は、評価結果を保存する（ステップＳ００４）。具体的には、応札者評価編集部２１１は、ステップＳ００２において編集され、ステップＳ００３において検査に合格した評価内容について、応札者評価記憶部２２２への格納処理を行う。
【００６０】
以上が、応札者評価編集処理の処理フローである。応札者評価編集処理を実行することで、入札価格以外に応札者の実績の評価、適性等が反映された適切な入開札の基礎情報を作成、維持管理できる。また、評価結果の検査を入開札装置１００とは異なる装置上で実施することができるため、入力ミス等の不備が含まれている場合でも事前に発見し除去することができるといえる。とくに、金銭のやり取りが発生する入札を行うシステムでは、桁違い等の入力エラー等のミスが発生すると、大きな問題となりうることから、適切に検査しうることは重要である。
【００６１】
図７は、本実施形態における入札情報管理装置２００の応札者評価編集部２１１により出力される画面の例である評価編集画面６００を示す図である。
【００６２】
評価編集画面６００には、応札者候補取り込みボタン６１０と、応札者評価チェックボタン６２０と、応札者評価保存ボタン６３０と、評価出力ボタン６４０と、評価の観点の入力欄６５１Ａ〜６５１Ｇと、終了ボタン６６０と、が含まれる。
【００６３】
応札者候補取り込みボタン６１０は、応札者候補取り込みの指示を受け付ける。応札者評価チェックボタン６２０は、応札者についての所定の評価の観点における評価結果の編集がなされた後の評価情報の検査開始指示を受け付ける。応札者評価保存ボタン６３０は、応札者についての所定の評価の観点における評価結果の編集がなされた後の評価情報を応札者評価記憶部２２２に格納する指示を受け付ける。
【００６４】
評価出力ボタン６４０は、評価情報を応札者評価記憶部２２２から読み出して所定のファイル形式で出力する指示を受け付ける。すなわち、評価出力ボタン６４０に対する入力指示を受け付けると、応札者評価出力部２１２は、評価の観点の入力欄６５１Ａ〜６５１Ｇに入力された情報を例えばＣＳＶ形式等のファイル形式で出力する。
【００６５】
評価の観点の入力欄６５１Ａ〜６５１Ｇには、応札者識別子６５１Ａ、応札者名称６５１Ｂ、施工事績６５１Ｃ、工事成績評定６５１Ｄ、地域貢献度６５１Ｅ、品質確実点６５１Ｆ、加算点６５１Ｇ等の項目に応じた評価結果の入力を応札者ごとに受け付ける。終了ボタン６６０は、評価の編集の入力を受け付ける応札者評価編集処理を終了させる指示を受け付ける。
【００６６】
図８は、本実施形態における入開札装置１００が実施する応札者評価登録処理のフロー図である。
【００６７】
応札者評価登録処理は、入開札装置１００および入札情報管理装置２００が稼動を開始され、応札者評価出力がなされた後に、処理を開始する指示を入開札装置１００の応札者評価登録処理部１１１が受け付けると、開始される。
【００６８】
まず、応札者評価登録処理部１１１は、評価出力情報の選択入力受付を行う（ステップＳ１０１）。具体的には、応札者評価登録処理部１１１は、応札者の評価出力情報の選択を促す画面情報を入札情報管理装置２００に対して出力し、評価出力情報のファイルすなわち応札者評価出力部２１２によりＣＳＶ形式等で保存されたファイルの選択入力を受け付ける。
【００６９】
そして、応札者評価登録処理部１１１は、入札情報管理装置２００にある評価出力情報を入開札装置１００へ送信する処理を行う（ステップＳ１０２）。具体的には、応札者評価登録処理部１１１は、ステップＳ１０１にて選択入力された評価出力情報をＦＴＰ（Ｆｉｌｅ  Ｔｒａｎｓｆｅｒ  Ｐｒｏｔｏｃｏｌ）等のファイル転送方法により送信するよう入札情報管理装置２００に要求し、送信された評価出力情報を受け付ける。
【００７０】
そして、応札者評価登録処理部１１１は、評価出力情報の保存を行う（ステップＳ１０３）。具体的には、応札者評価登録処理部１１１は、ステップＳ１０２において受け付けた評価出力情報を用いて、応札者評価記憶部１２１に対応する項目の情報を格納する。その際、応札者評価登録処理部１１１は、最初の一行がカラム名を羅列したヘッダ行を含むＣＳＶファイルである評価出力情報を受け付けた場合には、当該ヘッダ部分に含まれるカラム名に応じて応札者評価記憶部１２１のカラムを拡張して保存するものとしてもよい。このようにすることで、応札者を評価する観点の追加を行った場合においても、容易に入開札処理に反映させることができる。
【００７１】
そして、応札者評価登録処理部１１１は、入開札情報への保存を行う（ステップＳ１０４）。具体的には、応札者評価登録処理部１１１は、ステップＳ１０２において受け付けた評価出力情報を用いて、入開札情報記憶部１２２に対応する項目の情報を格納する。すなわち、評価出力情報から読み出した情報により、応札者識別子１２２Ｄ、品質確実点１２２Ｆ、加算点１２２Ｇを更新する。
【００７２】
以上が、応札者評価登録処理の処理フローである。応札者評価登録処理を実行することで、入札価格以外に応札者の実績の評価、適性等が反映された適切な入開札の基礎情報を入開札装置１００に登録することができる。
【００７３】
図９は、本実施形態における入開札装置１００の応札者評価登録処理部１１１により出力される画面の例である応札者評価登録画面７００を示す図である。
【００７４】
応札者評価登録画面７００には、入札識別子入力受付部７１０と、標準点入力受付部７２０と、係数入力受付部７３０と、応札者評価外部取り込み登録ボタン７４０と、評価の観点の入力欄７５１Ａ〜７５１Ｇと、終了ボタン７６０と、が含まれる。
【００７５】
入札識別子入力受付部７１０は、入札案件を特定する識別子の入力を受け付ける。標準点入力受付部７２０は、入札案件ごとに定められる標準点の入力を受け付ける。係数入力受付部７３０は、入札案件ごとに定められる係数の入力を受け付ける。応札者評価外部取り込み登録ボタン７４０は、応札者を評価する観点の情報を、ＣＳＶ形式等の外部ファイルから取り込み、評価の観点の入力欄７５１Ａ〜７５１Ｇに割付ける指示を受け付ける。応札者評価登録処理部１１１は、評価の観点の入力欄７５１Ａ〜７５１Ｇに入力された情報を、応札者評価記憶部１２１および入開札情報記憶部１２２に格納する。評価の観点の入力欄７５１Ａ〜７５１Ｇには、応札者識別子７５１Ａ、応札者名称７５１Ｂ、施工事績７５１Ｃ、工事成績評定７５１Ｄ、地域貢献度７５１Ｅ、品質確実点７５１Ｆ、加算点７５１Ｇ等の項目に応じた評価結果の入力を応札者ごとに受け付ける。終了ボタン７６０は、評価の入力を受け付ける応札者評価登録処理を終了させる指示を受け付ける。
【００７６】
以上、本発明に係る第一の実施形態を適用した入札運用システム１について説明した。当該実施形態によると、入札を開催する主体の入札に必要な情報の登録の利便性を高めることができる。さらには、登録の利便性だけでなく、二重管理の発生を抑えて、登録の整合性や正確性の向上を成しうる。
【００７７】
本発明は、上記の第一の実施形態に制限されない。上記の第一の実施形態は、本発明の技術的思想の範囲内で様々な変形が可能である。例えば、上記の第一の実施形態においては、入札情報管理装置２００に応札者評価編集部２１１が設けられて編集された情報を応札者評価出力部２１２がＣＳＶ等のファイル形式で出力し、入開札装置１００の応札者評価登録処理部１１１が当該ファイルを用いて登録している。しかしこれに限らず、応札者評価編集部２１１および応札者評価出力部２１２が入開札装置１００の制御部１１０に設けられようにしてもよい。このようにすることで、入札情報管理装置２００に特別な処理部を設ける必要がなく、例えばＷｅｂサイト等により入開札装置１００を実現し、Ｗｅｂブラウザを用いてアクセスするパソコン上からＣＳＶファイルをダウンロードして評価情報を出力し、承認や確認等の必要な手順を行ったのち当該ＣＳＶファイルを用いて入開札処理部１１２が使用する正式な情報として登録することが可能となる。
【００７８】
また、上記した実施形態の技術的要素は、単独で適用されてもよいし、プログラム部品とハードウェア部品のような複数の部分に分けられて適用されるようにしてもよい。
【００７９】
以上、本発明について、実施形態を中心に説明した。
【符号の説明】
【００８０】
１・・・入札運用システム、１０・・・ネットワーク、１００・・・入開札装置、１１０・・・制御部、１１１・・・応札者評価登録処理部、１１２・・・入開札処理部、１２０・・・記憶部、１２１・・・応札者評価記憶部、１２２・・・入開札情報記憶部、１３０・・・通信部、２００・・・入札情報管理装置、２１０・・・制御部、２１１・・・応札者評価編集部、２１２・・・応札者評価出力部、２２０・・・記憶部、２２１・・・応札者候補記憶部、２２２・・・応札者評価記憶部、２３０・・・通信部
【図１】
2015036909.tif 000003
【図２】
2015036909.tif 000004
【図３】
2015036909.tif 000005
【図４】
2015036909.tif 000006
【図５】
2015036909.tif 000007
【図６】
2015036909.tif 000008
【図７】
2015036909.tif 000009
【図８】
2015036909.tif 000010
【図９】
2015036909.tif 000011